(57)【要約】【課題】  外装体と共に用いられているときに、排泄の有無を外装体を介して簡便に判別することができる吸収パッドを提供すること。【解決手段】  本発明の吸収パッド２は、吸収体を具備していないか又は部分的に具備していない外装体３と共に用いられる。表面シート２１、防漏シート２２及びこれら両シート間に配された液保持性の吸収体２３を備えている。防漏シート２２は、排泄の有無が防漏シート２２を介して識別される識別手段２２ａを内側に具備しているとともに、外装体３へ装着するためのずれ止め手段２２ｂを外側に具備している。【選択図】    図１
2006296751.tif 000002
【特許請求の範囲】
【請求項１】
表面シート、防漏シート及びこれら両シート間に配された液保持性の吸収体を備えており、
前記防漏シートは、排泄の有無が該防漏シートを介して識別される識別手段を内側に具備しているとともに、ずれ止め手段を外側に具備している吸収パッド。
【請求項２】
前記ずれ止め手段が、前記識別手段と重なる位置又は該識別手段の周部に配されている請求項１記載の吸収パッド。
【請求項３】
前記識別手段が液に触れると変化するように設けられている請求項１又は２記載の吸収パッド。
【請求項４】
前記ずれ止め手段がホットメルト接着剤である請求項１〜３の何れかに記載の吸収パッド。
【請求項５】
前記防漏シートの少なくとも識別手段がある領域の全光線透過率が４０〜１００％である請求項１〜４の何れかに記載の吸収パッド。
【請求項６】
前記防漏シートが透湿性を有している請求項１〜５の何れかに記載の吸収パッド。
【請求項７】
請求項１〜６の何れかに記載の吸収パッドと、該吸収パッドが装着される外装体とからなり、前記外装体が、吸収性本体を具備していないか又は部分的に具備していない吸収性物品。
【請求項８】
前記外装体の前記吸収性本体を具備していない部分における、前記吸収パッドが装着されて前記識別手段と重なっている部位の全光線透過率が３０〜１００％である請求項７記載の吸収性物品。
【請求項９】
前記外装体が、吸収性本体を具備する展開型若しくはパンツ型の使い捨ておむつ、又は吸収性本体を具備しないおむつカバーである請求項７又は８記載の吸収性物品。
【発明の詳細な説明】
【技術分野】
【０００１】
本発明は、吸収パッド及び該吸収パッドと外装体とからなる吸収性物品に関する。
【背景技術】
【０００２】
尿等の排泄の有無を外部から識別できるような識別手段を有するベビー用の使い捨ておむつとして、防漏シートに水溶性のインクや水に濡れると変色する剤で印刷等を施したおむつが提案されている（特許文献１〜５参照）。
【０００３】
一方、大人用の吸収性物品においては、使い捨ておむつ若しくは使い捨ておむつと同様の構成のカバーとしての外装体（以下外装体等という）と、吸収パッドとを共に用い、吸収パッドのみを必要に応じて交換するタイプのものが提案されている。このような大人用の吸収性物品においても、排泄の有無を識別できる機能が望まれる。
しかし、このような大人用の吸収性物品においては、単純にベビー用と同様に外装体等に識別手段を設けても、吸収パッドと共に用い、排泄が吸収パッドのみになされた場合には識別手段は意味を成さないという欠点を有する。
また、単純に吸収パッドに識別手段を設けても以下のような欠点を有する。
（１）通常の外装体等と併用した場合、外装体等の外部から識別手段の変化を識別することは不可能である。
（２）この場合、外装体等を装着者から一旦外し、識別手段の変化を識別することになる。しかし、外装体等を装着者から一旦外しても、識別手段は防漏シートの外側から認識するものなので、更にパッドを外装体等から一旦外さないと識別手段の変化を識別する事は出来ない。すなわち識別手段の変化を識別するためだけでも二度手間であり、排泄が無かった場合に元に戻す事を考えると四度の手間がかかってしまう。
（３）識別手段の変化の識別を容易にする上では、外装体等の構成を薄くすることが考えられるが、例えば、下記特許文献５に記載のように、吸収体を部分的に有していない凹陥部を備えた構成の使い捨ておむつを、外装体等として用いると、吸収パッドと外装体との間にすきまが生じてしまい、吸収パッドに識別手段を具備していても、その識別が困難となる。
このように、大人用の吸収性物品においても、長時間、排泄の有無を識別できる機能が切望されているにもかかわらず、現在に至るまで、簡単にかつ明確に識別できる機能を有する吸収性物品は皆無であった。
【０００４】
【特許文献１】特開平１１−４８５２号公報
【特許文献２】特開２００４−２９８５７１号公報
【特許文献３】特開昭５８−１７４６０１号公報
【特許文献４】特開２００２−２００１０５号公報
【特許文献５】特開２００３−１１６９１０号公報
【発明の開示】
【発明が解決しようとする課題】
【０００５】
本発明は、前記課題に鑑みてなされたものであり、外装体と共に用いられているときに排泄の有無を簡便に判別することができる吸収パッド及び該吸収パッドと外装体とからなる吸収性物品を提供することを目的とする。
【課題を解決するための手段】
【０００６】
本発明は、表面シート、防漏シート及びこれら両シート間に配された液保持性の吸収体を備えており、前記防漏シートは、排泄の有無が該防漏シートを介して識別される識別手段を内側に具備しているとともに、ずれ止め手段を外側に具備している吸収パッドを提供することにより、前記目的を達成したものである。
【０００７】
また、本発明は、前記本発明の吸収パッドと、該吸収パッドが装着される外装体とからなり、前記外装体が、吸収性本体を具備していないか又は部分的に具備しておらず、少なくとも前記吸収パッドが装着されて前記識別手段と重なっている部位の全光線透過率が３０〜１００％である吸収性物品を提供するものである。
【発明の効果】
【０００８】
本発明によれば、尿などの排泄の有無を外装体の外側から簡便にかつ明確に判別することができるので、吸収パッドの取り替えの判断も極めて容易に行うことができる。
【発明を実施するための最良の形態】
【０００９】
以下、本発明をその好ましい実施形態に基づいて説明する。
【００１０】
図１及び図２は、本発明の吸収性物品の一実施形態を模式的に示したものである。
【００１１】
図１に示すように、本実施形態の吸収性物品１は、吸収パッド２と、吸収パッド２が装着される外装体３とからなり、吸収パッド２が外装体３の内表面上に配された状態で外装体３とともに着用される。
【００１２】
図２に示すように、吸収パッド２は、縦長の矩形形状に設けられており、液透過性の表面シート２１、液透不透過性で透湿性の防漏シート２２及びこれら両シート間に配された液保持性の吸収体２３を備えている。
【００１３】
防漏シート２２は、当該防漏シート２２及び外装体３を介して識別される識別手段２２ａを内側（吸収体２３側）に具備しているとともに、外装体３へ装着するためのずれ止め手段２２ｂを外側に具備している。
【００１４】
識別手段２２ａに特に制限はないが、識別のし易さの点から、尿等の体液に触れると変色する変化剤を具備し、その一部若しくは全部が変化し、その変化が外装体３を介して識別されるように設けられていることが好ましい。具体的には、Ｌ＊ａ＊ｂ＊表色系の色座標指数が、Ｌ＊軸、ａ＊軸、ｂ＊軸の反対色に変化するように設けることが好ましい。例えば、Ｌ＊軸では、黒から白若しくはその逆、ａ＊軸では赤から緑若しくはその逆、ｂ＊軸では黄色から青若しくはその逆の変化、又はこれらの組み合わせた変化を示すように設けられていることが好ましい。Ｌ＊ａ＊ｂ＊表色系における2つの知覚色の差、すなわち色差は、ΔE＊ａｂ（ΔE＊ａｂ＝（（ΔL＊）2+（Δａ＊）2+（Δｂ＊）2）1/2）で表されるが、その値が１．５〜３．０であると感知し得るほど異なるとされており、３．０〜６．０であると著しく異なるとされている。つまり、識別手段２２ａの変色の差は、色差ΔE＊ａｂの値が１．５以上であることが好ましく、更に３．０以上であることが好ましく、６．０以上であることが最も好ましい。
【００１５】
前記変化剤は水分に接触することによって視覚的に変化する物質（以下、変色物質という）を含む親水性の組成物である。変色物質としてはｐＨ指示薬等が挙げられる。例えば公知のインク又は指示薬を使用することができる。ｐＨ指示薬としては、吸収性物品が本実施形態のように使い捨ておむつの場合には、尿との接触の前後で色が変化するものを用いることが好ましい。例えばブロモフェノールブルー、メチルオレンジ、アリザンＳ、ブロモクレゾールグリーン、メチルレッド、ブロモクレゾールパープル、レザズリン等、ｐＨが３〜７で変色するものが好ましい。
【００１６】
前記変化剤は、水分と接触するまでは、防漏シート２２の表面に安定して固定化されている必要がある。そのような固定化を実現する方法としては、変化剤を、前記変色物質と粘着性物質とを混合した親水性の組成物として防漏シート２２の表面に塗布する方法が簡便かつ確実である。粘着性物質としては、変色物質との相溶性の点から親水性を有するものが好ましい。そのような粘着性物質としては例えば、水分と接触する前には防漏シートとの接着剤として機能する親水性のポリマーが挙げられる。親水性のポリマーとしては例えば、ポリエチレングリコール（ＰＥＧ）、ポリプロピレングリコール（ＰＰＧ）、ポリビニルアルコール（ＰＶＡ）、ポリアミド、ビニルピロリドンホモポリマー等が挙げられる。これら親水性のポリマーはその数平均分子量が、１０００〜５００００、特に２０００〜２００００であることが、確実な固定化を与える点から好ましい。
【００１７】
ずれ止め手段２２ｂは、前記識別手段２２ａの識別性に特に影響を与えなければ、その手段に特に制限はないが、外装体３と識別手段２２ａの密着性、特に識別手段２２ａの配設部位と重ねて配設できて前記密着性をより高められる点や、防漏シート２２に無機フィラーを分散させて延伸した樹脂シートを用いる場合に防漏シート２２を透明化できて識別手段２２ａの識別性をより高められる点、製造のし易さ等の点を考慮すると、ホットメルト接着剤が好ましい。
【００１８】
前記ホットメルト接着剤としては、塗布安定性、被膜性等を満足するものであれば特に制限はないが、例えば、ホットメルト接着剤のベースポリマーとしてスチレン系エラストマー（ＳＩＳ、ＳＢＳ、ＳＥＢＳ、ＳＥＰＳ）、オレフィン系ポリマー（アモルファスポリアルファオレフィン）等が使用されているものが挙げられる。ホットメルト接着剤は、透明化助剤を２０〜６０質量％含んでいることが好ましい。透明化助剤は、低分子量ポリオレフィン、パラフィン系プロセスオイル、ナフテン系プロセスオイル、芳香族プロセスオイル等の石油系オイル；液状ポリイソブチレン、液状ポリブテン、液状ポリイソプレン等の液状ゴム；二塩基酸エステル系可塑剤（ＤＢＰ、ＤＯＰ）等が挙げられる。
【００１９】
ホットメルト接着剤は、防漏シート２２と外装体３との密着性及び透明化による識別性の向上を図る観点から、好ましくは１５〜８０ｇ／ｍ2、より好ましくは２５〜６０ｇ／ｍ2で塗工することが好ましい。
【００２０】
ずれ止め手段２２ｂは、本実施形態のように、識別手段２２ａと全面的に重なるように配設されていることが好ましいが、図３（ａ）〜（ｃ）に示すように、識別手段２２ａの周辺部に位置するように配設されていてもよく、また、図３（ｄ）に示すように、識別手段２２ａと部分的に重なるように配設されていてもよい。
【００２１】
防漏シート２２は、識別手段２２ａの識別性を考慮すると、少なくとも識別手段がある領域の全光線透過率が４０〜1００％であることが好ましい。しかし、余りに透明度が高いと、吸収パッドの外側から排泄物が完全に透けて見えてしまう場合があるため、防漏シート２２の全光線透過率は、５０〜９０％がより好ましく、６０〜８０％であることがさらに好ましい。ここで、防漏シート２２の全光線透過率は、（株）村上色彩研究所製、商品名「ＨＲ−１００」で、測定光源Ａ光源を使用し、全光線透過率Ｔｔの値を測定する。防漏シート２２の識別手段と重なる部分かその付近の任意の１０点を測定し、その平均値をもって全光線透過率の値とする。
【００２２】
防漏シート２２に用いられる素材としては、疎水性の熱可塑性樹脂と、相溶性のない有機高分子又は炭酸カルシウム等からなる微小な無機フィラー等とを溶融混練してフィルムを形成し、該フィルムを一軸又は二軸延伸して得られる多孔性シートが挙げられる。また、熱可塑性ポリエステルエラストマーのように、水分を吸放出する未延伸シートを用いることもできる。防漏シート２２は、識別手段の識別性に影響を与えない範囲で、上述した素材のシートの外側に不織布を貼り合わせた積層シートで構成することもできる。不織布の接合方法は、特に制限はないが、熱や接着剤によるラミネートが好ましい。
【００２３】
表面シート２１には、親水性の不織布や開孔フィルムなどの従来から吸収パッドに用いられている公知のものが採用される。
【００２４】
また、吸収体２３には、従来から吸収パッドに用いられている公知のものが採用される。吸収体２３は、親水性のティッシュペーパー等の薄手の紙（薄葉紙）、不織布（ＳＭＳ、ＳＭＭＳ、ＳＳＭＳ等の複合不織布）からなる被覆材によって吸収性本体（吸収性コア）が覆われているものが好ましい。
【００２５】
図２（ｂ）に示すように、本実施形態における外装体３は、着用時に着用者の背側に配される背側部３Ａ、腹側に配される腹側部３Ｂ、及び両者間に位置し着用者の股下に配される股下部３Ｃを有し、長手方向の中央部が括れた縦長の形状を有している。
【００２６】
外装体３は、外装体表面シート（以下、表面シートともいう。）３１、外装体防漏シート（以下、防漏シートともいう。）３２、これらの間に配された外装体吸収体（以下、吸収体ともいう。）３３、及び外装体表面シート３１の両側縁部から外装体防漏シート３２の外縁部を覆う外装体側面シート（以下、側面シートともいう。）３４を具備している。
【００２７】
外装体３の背側部３Ａの左右両側縁部には、それぞれファスニングテープ３５、３５が配設されている。腹側部３Ｂの外面には、ファスニングテープ３５、３５が止着されるランディングゾーン（図示せず）が幅方向に亘って形成されている。股下部３Ｃの左右両側縁部には、括れに沿うように弾性部材３６が配設されており、この弾性部材３６が収縮し、外装体３の着用時に脚廻りに配される部位にレッグギャザーが形成される。
【００２８】
吸収体３３は、矩形の外形形状を有し、後述するように吸収性本体（吸収性コア）とこれを被覆する被覆材とから構成される。吸収体３３は、識別手段２２ａに望むように矩形形状に切り欠かれた窓部３３ａを有しており、窓部３３ａでは吸収体３３を（部分的に）具備しておらず、表面シート３１と防漏シート３２とが接合されている。窓部３３ａの幅は、３０〜１５０ｍｍ、更に好ましくは５０〜１００ｍｍであり、その長さは、８０〜３００ｍｍ、更に好ましくは１００〜２５０ｍｍであることが、吸収パッド２を容易に装着できる大きさであることから好ましい。窓部３３ａの位置は、股下部３Ｃから腹側部３Ｂに掛かる部分に位置しているとことが、着用した状態で容易に観察できる点から好ましい。
【００２９】
外装体３における吸収体３３を具備していない窓部３３ａ、即ち本実施形態では表面シート３１と防漏シート３２とが接合されている部分における（吸収パッド２が装着されて識別手段２２ａと重なっている部位）の全光線透過率が３０〜１００％であることが好ましく、４０〜９０％であることがより好ましく、５０〜９０％であることがさらに好ましい。全光線透過率が斯かる範囲であると、排泄の前後における識別手段２２ａの変化を、外装体３を介して容易に識別することができる。全光線透過率は、前述と同様にして測定される。
【００３０】
外装体３の表面シート３１には、親水性の不織布や開孔フィルム等、また、側面シート３４には、撥水性の不織布等の、従来から使い捨ておむつに用いられている材質のシートをそれぞれ用いることができる。
【００３１】
外装体３の防漏シート３２の材質には、従来から使い捨ておむつに用いられている材質のものを用いることができるが、全光線透過率の前述の範囲とし、防漏シート３２に多孔質シートと不織布を貼り合わせた積層シートを使用する場合、吸収パッド２の識別手段２２ａの識別性を高める観点から、積層シートに使用する不織布には酸化チタン等の顔料を含まない繊維からなるものを用いることが好ましい。
【００３２】
また、窓部３３ａの全光線透過率を前記範囲とする観点から、吸収パッド２の防漏シート２２と同様にして、ホットメルト接着剤で防漏シート３２を透明化することもできる。また、同様の観点から。少なくとも窓部３３ａにおいて、表面シート３１と防漏シート３２とを接合する際に、エンボス加工を施すことによって、当該窓部３３ａの透明化を図ることもできる。
【００３３】
吸収体３３の材質には、従来から使い捨ておむつに用いられている吸収体の材質が用いられる。吸収体３３は、親水性のティッシュペーパー等の薄手の紙（薄葉紙）、親水性の不織布（ＳＭＳ、ＳＭＭＳ、ＳＳＭＳ等の複合不織布）からなる被覆材によって吸収性本体（吸収性コア）が覆われているものが好ましい。被覆用の不織布を用いる場合には、識別手段２２ａの識別性を考慮すると、坪量は７〜２０ｇ／ｍ2が好ましく、７〜１５ｇ／ｍ2がより好ましい。
表面シート３１や吸収体３３に用いる不織布には、窓部３３ａの全光線透過率を前記範囲とする観点から酸化チタン等の顔料を含まない繊維からなるものを用いることが好ましい。
【００３４】
外装体３における吸収パッド２が装着されて識別手段２２ａと重なっている部位は、当該部位の変形に伴う吸収パッド２の位置ずれを確実に防ぐ観点から、伸縮性を有していないことが好ましい。
【００３５】
以上説明したように、本実施形態の吸収性物品１は、着用者が着用した状態で、外装体３の窓部３３ａを介して排泄の有無を簡便に判別することができるので、吸収パッド２の取り替えの判断も容易に行うことができる。また、ずれ止め手段２２ｂによって吸収パッド２と外装材３とが確実に密着でき、位置ずれを防ぐことができるため、吸収パッド２のずれに伴う漏れも防止できるほか、違和感なく装着できる。
【００３６】
本発明は、前記実施形態に制限されない。
例えば、識別手段は、尿等の体液に触れると水溶性インキが流れて識別されるものや、水溶性インキと非水溶性インキの組み合わせによって描かれたデザインが尿等の体液に触れると水溶性インキのみが流れ出し非水溶性インキによって描かれたデザインが現れるもの、尿等の体液に触れると色が鮮やかになり、その変化が外装体を介して識別されるように設けられているものでもよい。また、識別手段の配設位置に重なっている防漏シートを透明なシートで部分的に透明とすることもできる。
【００３７】
また、外装体３の吸収体３３は、前記実施形態のように窓部３３ａを設けずに、当該窓に対応する部分に吸収体の吸収性本体（吸収性コア）を配さない構成とすることもできる。この場合は、例えば表面シートと吸収性本体を被覆する被覆材と防漏シートが接合された構成とすることができ、前述した窓部３３ａの好ましい寸法、位置及び全光透過率の範囲を、吸収性本体を配さない部分の好ましい寸法、位置及び全光透過率に適用することができる。
【００３８】
また、吸収パッド２の備えるずれ止め手段は、識別手段の識別性及び外装体との密着性に影響を与えない範囲で、メカニカルファスナー等を採用することもできるし、ずれ止めテープ等を採用することもできる。吸収パッド２の外形形状は、縦長の矩形形状の他に羽子板形状や、瓢箪形状であってもよい。
【００３９】
前記実施形態では、外装体３における吸収パッド２が装着されて識別手段２２ａと重なる部位は、当該部位の変形に伴う吸収パッド２の位置ずれを確実に防ぐ観点から、伸縮性を有していないことが好ましいとしたが、吸収パッド２が装着しやすく識別手段の識別性及び外装体との密着性に影響を与えない範囲内なら伸縮性を有していてもよい。
また、前記実施形態では、外装体を、実質的に展開型の使い捨ておむつと同じ構成としたが、外装体は、いわゆるパンツ型の使い捨ておむつや、吸収性本体を具備しないおむつカバーであってもよい。
【図面の簡単な説明】
【００４０】
【図１】本発明の吸収性物品の一実施形態を模式的に示す斜視図である。
【図２】前記実施形態の吸収性物品を展開し一部を破断視した状態を模式的に示した図であり、（ａ）は吸収パッドの平面図、（ｂ）は外装体の平面図。
【図３】（ａ）〜（ｄ）は、本発明の吸収性物品における吸収パッドの他の実施形態を裏面シート側から視た状態を模式的に示す平面図（底面図）である。
【符号の説明】
【００４１】
１  吸収性物品
２  吸収パッド
２１  表面シート
２２  防漏シート
２２ａ  識別手段
２２ｂ  ずれ止め手段
２３  吸収体
３  外装体
３１  外装体表面シート
３２  外装体防漏シート
３３  外装体吸収体
３４  外装体側面シート
【図１】
2006296751.tif 000003
【図２】
2006296751.tif 000004
【図３】
2006296751.tif 000005